【事件の表示】
　特許第６１２１５０５号発明「遊技機」の特許異議申立事件について、次のとおり決定する。
【結　論】
　特許第６１２１５０５号の請求項１に係る特許を維持する。
【理　由】
第１　手続の経緯
　特許第６１２１５０５号の請求項１に係る特許についての出願は、平成２１年１２月２５日に出願した特願２００９−２９６２９６号の一部を平成２７年１０月２１日に新たな特許出願としたものであり、平成２９年４月７日に特許権の設定登録がされ、平成２９年１０月２０日に、その特許に対し、特許異議申立人日本電動式遊技機特許株式会社により、特許異議の申立てがされたものである。
第２　本件発明
　特許第６１２１５０５号の請求項１に係る発明（以下、「本件特許発明」という。）は、その特許請求の範囲の請求項１に記載された事項により特定される、次のとおりのものである（Ａ〜Ｉは、特許異議申立人の主張に従って、当審で付した。）。
【請求項１】
Ａ　メダルを用いて遊技を行う遊技機であって、
Ｂ　前記遊技機の前面に設けられる投入部から投入されたメダルが流下するメダル流下通路と、該メダル流下通路を流下するメダルを流出させる第１流出部及び第２流出部と、前記メダル流下通路の流下方向を前記第１流出部または前記第２流出部に変更可能な流路変更手段と、を有するメダルセレクタと、
Ｃ　前記第１流出部から流出したメダルを所定の回収部に誘導する回収誘導部と、
Ｄ　前記第２流出部の少なくとも一部を覆うカバー部と、
Ｅ　前記第２流出部から流出したメダルを前記遊技機の前面に設けられた返却部に誘導する返却誘導部と、
　を備え、
Ｆ　前記回収誘導部は、
　前記第１流出部から前記回収部に向けて下方に傾斜するように延設された流下路面と、
Ｇ　前記流下路面におけるメダルの流下方向の両側に立設される一対のガイド壁面と、
Ｈ　前記流下路面の上方位置に配設され、該流下路面を流下するメダルの上方への取り出しを規制する規制部と、
　を備え、
Ｉ　前記規制部におけるメダルの流下方向の下流側端部と前記流下路面におけるメダルの流下方向の下流側端部とは、前記カバー部の上方端部よりも下方に位置することを特徴とする遊技機。
第３　申立理由の概要
　特許異議申立人は、主たる証拠として下記甲第１号証及び従たる証拠として下記甲第２〜４号証を提出し、本件特許発明は特許法第２９条の２の規定に違反してなされたものであるため、請求項１に係る特許を取り消すべきものである旨主張している。
＜証拠方法＞
甲第１号証：特願２００９−９３７３１号（特開２０１０−２４０２２７号公報）（以下、「先願」という。）
甲第２号証：特開２００８−２３２６０号公報
甲第３号証：特開２００９−６１０６１号公報
甲第４号証：特開２００７−３１３２４９号公報
第４　甲第１〜４号証の記載
１　先願に記載された発明
　本願の出願遡及日前の出願であって、本願の出願遡及日後に公開された先願の願書に最初に添付した明細書、特許請求の範囲又は図面（以下、「先願明細書等」という。）には、図面とともに以下の事項が記載されている（下線は、当審で付した。）。
（ア）「【０００１】
　本発明は、
スロットマシン
等の遊技機
【背景技術】
【０００２】
　
スロットマシン等の遊技機は、
メダル
の投入口を備え、この投入口から
メダルを投入してゲームを行う
（イ）「【０００９】
　本発明は、このような従来の問題点に鑑み、返却通路から受け入れ口を経て案内シュート側に不正部材を挿入して、その不正部材により選別手段を通過した正規のメダルを返却通路へと不正に回収する不正回収を防止できる遊技機を提供することを目的とする。」
（ウ）「【００１６】
　前面パネル３は左右一端側に配置された上下一対のヒンジ手段（図示省略）を介して筐体２に開閉自在に装着されており、この
前面パネル３の上部側には
第２表示窓１６
が
配置され
【００１７】
　第２表示窓１６は、前面パネル３の裏側に装着された液晶表示ユニット（図示省略）の表示画面１７に対応して矩形状に形成されており、遊技者はこの第２表示窓１６を介して表示画面１７を前側から視認可能となっている。
第２表示窓１６の下側には、
上操作パネル部１８
を有する前カバー２０が
設けられ
【００１８】
　
上操作パネル部１８にはメダルを投入可能な投入口２２
が設けられている
・・・
【００２０】
　前面パネル３の下部側は前カバー２０に比して大きく後方に後退しており、この
前面パネル３の下部側には、払い出し手段７から払い出されたメダルや返却されたメダルを前側に排出するための排出口３０
が設けられている
（エ）「【００２３】
　パネル体３８の裏側には、図３、図４に示すように、投入口２２から投入されたメダルの正、不正を選別する選別手段４１と、選別手段４１を通過した正規のメダルをメダルホッパー６へと案内する案内シュート４２と、
選別手段４１により排除された不正メダル、返却メダルを排出口３０を経て受け皿３１へと排出する返却通路４３
（オ）「【００２６】
　
返却通路４３は、
傾斜通路部５７
を有する。傾斜通路部５７の上端は
、選別手段４１の下側と対向して上向きに開口する受け入れ口５９となっている
【００２７】
　通路形成体５６の後壁６０は前面パネル３を閉じたときにメダルホッパー６、払い出し手段７に近接するように、そのメダルホッパー６、払い出し手段７の前面形状に沿って屈曲している。そして、返却通路４３の途中の後壁６０には払い出し手段７の払い出し口３７に対応する入口６１が設けられ、払い出し口３７から払い出されたメダルを入口６１から返却通路４３を介して排出口３０から受け皿３１へと案内するようになっている。」
（カ）「【００３０】
　
この選別手段４１は、投入口２２に投入されたメダルが
内部の傾斜通路６６を経て
出口７０へと移動する間に正、不正を判別して、不正メダルを傾斜通路６６の途中の開口状の除去部６７から受け入れ口５９へと落下させて除去し、正規のメダルのみを出口７０から案内シュート４２へと通過させる
（キ）「【００３３】
　
案内シュート４２は内周壁７７と外周壁７８とを有する樋状であって、
出口７０からのメダルを
メダルホッパー６へと
案内する
【００３４】
　この
案内シュート４２は内周壁７７と外周壁７８との間でメダルを円滑に案内
上流端と下流端との間で徐々に傾斜している
（ク）「【００５７】
　図２０〜図２２は本発明の第６の実施形態を例示する。この実施形態では、
案内シュート４２には、内周壁７７と外周壁７８との上端間を連結する覆い部８３が
設けられており、この覆い部８３により阻止手段４４が構成されている
（ケ）「【００６０】
　このように案内シュート４２の略全体に覆い部８３を設けて、その
覆い部８３により阻止手段４４を構成しても、メダルの不正回収を未然に防止することができる
（コ）図３には、樋状の案内シュート４２の底面部の下流側端部は、返却通路４３の受け入れ口５９より下方に位置し、案内ショート４２の外周壁７８の下流側端部は、返却通路４３の受け入れ口５９より上方に位置することが示されている。
　上記（ア）〜（ケ）の記載事項及び（コ）の認定事項から、以下の事項が導かれる。
（ａ）上記（ア）【０００１】には、「スロットマシン・・・等の遊技機」と記載され、同【０００２】には、「スロットマシン等の遊技機は、・・・メダル・・・の投入口を備え、この投入口から・・・メダルを投入してゲームを行う」と記載されている。
　よって、先願明細書等には、
メダルを投入してゲームを行うスロットマシン等の遊技機
（ｂ）上記（ウ）【００１６】〜【００１８】には、「前面パネル３の上部側には・・・第２表示窓１６・・・が・・・配置され・・・第２表示窓１６の下側には、・・・上操作パネル部１８・・・を有する前カバー２０が・・・設けられ・・・上操作パネル部１８にはメダルを投入可能な投入口２２・・・が設けられている」と、上記（カ）【００３０】には、「この選別手段４１は、投入口２２に投入されたメダルが・・・、内部の傾斜通路６６を経て・・・出口７０へと移動する間に正、不正を判別して、不正メダルを傾斜通路６６の途中の開口状の除去部６７から受け入れ口５９へと落下させて除去し、正規のメダルのみを出口７０から案内シュート４２へと通過させる」と、それぞれ、記載されている。
　よって、先願明細書等には、
前面パネルに設けられる投入口２２から投入されたメダルが移動する傾斜通路６６を有し、傾斜通路６６を経て出口７０へと移動する間に正、不正を判別して、不正メダルを傾斜通路６６の途中の開口状の除去部６７から受け入れ口５９へと落下させて除去し、正規のメダルのみを出口７０から案内シュート４２へと通過させる選別手段４１
（ｃ）上記（キ）【００３３】には、「案内シュート４２は・・・出口７０からのメダルを・・・メダルホッパー６へと・・・案内する」と記載されている。
　よって、先願明細書等には、
出口７０からのメダルをメダルホッパー６へと案内する案内シュート４２
（ｅ）上記（ウ）【００２０】には、「前面パネル３の下部側には、払い出し手段７から払い出されたメダルや返却されたメダルを前側に排出するための排出口３０・・・が設けられている」と、上記（エ）【００２３】には、「選別手段４１により排除された不正メダル、返却メダルを排出口３０を経て受け皿３１へと排出する返却通路４３」と、上記（オ）【００２６】には、「返却通路４３は、・・・傾斜通路部５７・・・を有する。傾斜通路部の上端は・・・、選別手段４１の下側と対向して上向きに開口する受け入れ口５９となっている」と、上記（カ）【００３０】には、「この選別手段４１は、・・・不正メダルを傾斜通路６６の途中の開口状の除去部６７から受け入れ口５９へと落下させて除去」すると、それぞれ、記載されている。
　よって、先願明細書等には、
除去部６７から落下されたメダルを前面パネルに設けられた排出口３０へと排出する返却通路４３
（ｆ）上記（キ）【００３３】には、「案内シュート４２は内周壁７７と外周壁７８とを有する樋状であって、出口７０からのメダルを・・・メダルホッパー６へと・・・案内する」と、同【００３４】には、「案内シュート４２は・・・上流端と下流端との間で徐々に傾斜している」と、それぞれ、記載されている。
　よって、先願明細書等には、
案内シュート４２は、樋状であって、出口からメダルホッパー６へと、上流端と下流端との間で傾斜している
（ｇ）上記（キ）【００３３】には、「案内シュート４２は内周壁７７と外周壁７８とを有する樋状であって」と、同【００３４】には、「案内シュート４２は内周壁７７と外周壁７８との間でメダルを円滑に案内」すると、それぞれ、記載されている。
　よって、先願明細書等には、案内シュート４２は、
メダルを円滑に案内する内周壁７７と外周壁７８を有する
（ｈ）上記（ク）【００５７】には、「案内シュート４２には、内周壁７７と外周壁７８との上端間を連結する覆い部８３が・・・設けられており、この覆い部８３により阻止手段４４が構成されている」と、上記（ケ）【００６０】には、「覆い部８３により阻止手段４４を構成しても、メダルの不正回収を未然に防止することができる」と、それぞれ、記載されている。
　よって、先願明細書等には、案内シュート４２は、
内周壁７７と外周壁７８との上端間を連結し、メダルの不正回収を防止するための阻止手段４４を構成する覆い部８３
（ｉ）上記（コ）より、図３には、樋状の
案内シュート４２の底面部の下流側端部は、返却通路４３の受け入れ口５９より下方に位置する
　上記（ア）〜（ケ）の記載事項、（コ）の認定事項及び（ａ）〜（ｉ）の認定事項より、先願明細書等には、次の発明が記載されていると認められる（以下、「先願発明」という。）。
「ａ　メダルを投入してゲームを行うスロットマシン等の遊技機であって、
ｂ　前面パネルに設けられる投入口２２から投入されたメダルが移動する傾斜通路６６を有し、傾斜通路６６を経て出口７０へと移動する間に正、不正を判別して、不正メダルを傾斜通路６６の途中の開口状の除去部６７から受け入れ口５９へと落下させて除去し、正規のメダルのみを出口７０から案内シュート４２へと通過させる選別手段４１と、
ｃ　出口７０からのメダルをメダルホッパー６へと案内する案内シュート４２と、
ｅ　除去部６７から落下されたメダルを前面パネルに設けられた排出口３０へと排出する返却通路４３と、
　を備え、
ｆ　案内シュート４２は、
　樋状であって、出口からメダルホッパー６へと、上流端と下流端との間で傾斜しており、
ｇ　メダルを円滑に案内する内周壁７７と外周壁７８を有し、
ｈ　内周壁７７と外周壁７８との上端間を連結し、メダルの不正回収を防止するための阻止手段４４を構成する覆い部８３を、
　備え、
ｉ　案内シュート４２の底面部の下流側端部は、返却通路４３の受け入れ口５９より下方に位置する
　遊技機。」
２　甲第２号証に記載された事項
　甲第２号証には、図面とともに以下の事項が記載されている。
（サ）「【０００１】
　本発明は、メダルを用いて１ゲームに対して所定数の賭数を設定することによりゲームが開始可能となるとともに、各々が識別可能な複数種類の図柄を変動表示可能な可変表示装置の表示結果に応じて所定の入賞が発生可能な
スロットマシン
（シ）「【００２７】
　投入メダルセレクタ１３１では、投入されたメダルの真偽（形状、大きさ、厚み等）が判別されるようになっており、真正なメダルはその通過が投入メダルセンサ３１ａ〜３１ｃにて検出された後、投入メダルセレクタ１３１の本体側面に形成された流出口１４２（図７参照）から流出されるとともに、
偽メダルは
投入メダルセレクタ１３１の本体下部に形成された返却部から下方に向けて流出されるようになっている
返却部から流出したメダルは、該投入メダルセレクタ１３１の下方に設けられたメダル返却通路１３２を介してメダル払出口９から下皿に返却されるようになっている
（ス）「【００６７】
　メダル判別装置としての
投入メダルセレクタ１３１は、
その本体部内には、正面視略Ｌ字状のメダル流下通路１３３が形成されている
（セ）「【００９０】
　
メダルシュート１６０は、
取付片１６７の左右側面及びガイド板１６４の誘導立面１６３が、鉛直方向を向く軸線Ｐに対して平行、つまり鉛直方向を向くように配設される。この鉛直方向を向く誘導立面１６３に対して、底板１６２は、
後側
から前側
に向けて下方に傾斜するように、かつ、
投入メダルセレクタ１３１が配設される左側
から右側
に向けて下方に傾斜するように配設される
（ソ）図４には、投入メダルセレクタ１３１の下縁及びメダル流下通路１３３の下縁より、メダル返却通路１３２の上縁が上方に位置すること、及び、メダルシュート１６０の下流側端部の上縁及び下縁がメダル返却通路１３２の上縁より下方に位置することが示されている。
　上記（サ）〜（セ）の記載事項及び（ソ）の認定事項より、甲第２号証には、次の事項が記載されていると認められる。
「その上縁が、投入メダルセレクタ１３１の下縁及びメダル流下通路１３３の下縁より、上方に位置するメダル返却通路１３２を備え、メダルシュート１６０の下流側端部の上縁及び下縁がメダル返却通路１３２の上縁より下方に位置するスロットマシン。」
３　甲第３号証に記載された事項
　甲第３号証には、図面とともに以下の事項が記載されている。
（タ）「【００１４】
　以下、図面等を参照して、本発明の一実施形態について説明する。
　なお、以下の実施形態では、本発明の遊技機として、
スロットマシン１０
（チ）「【００２１】
　また、フロントマスク部１２の後面側（裏面側）の下方部には、メダル投入口４３（図１参照）に対応して、メダルセレクター１１０が配置されている。
このメダルセレクター１１０は、投入されたメダルが遊技状態等に応じて受付け可能であるか否かを選別する装置であり、メダルの受付けができる場合には、投入されたメダルは、メダル誘導路１０７を介してホッパータンク１０８に誘導され、貯留される。逆に、メダルの受付けができない場合には、投入されたメダルは、メダル返却路１０９を介してメダル受け皿４４
に誘導され、返却される。
（ツ）「【００３１】
　一方、
メダルセレクター１１０のセレクター本体１１２
セレクター本体１１２の下方部であって、メダル選別通路１１２ａの外側は、カバー１１３で覆われており、メダル選別通路１１２ａとカバー１１３との間にメダル返却路１０９が接続されている
（テ）「【００４０】
　このようなメダルセレクター１１０のセレクター本体１１２に対し、遊技者がメダル投入口４３からメダルを投入すると、そのメダルは、自重によってメダル選別通路１１２ａへと導かれ、その後、
メダル選別通路１１２ａの入口部分にあるメダル規制機構１１４
この際、メダルの外径が規定よりも大きいものだった場合には、
そのメダルは、メダル選別通路１１２ａの縦方向の通路から外れることとなり、そのままメダル選別通路１１２ａとカバー１１３との間からメダル返却路１０９に落下し、メダル受け皿４４
に返却される
【００４１】
　また、
投入されたメダルの外径が規定以下だった場合には、
メダル選別通路１１２ａの横方向の通路から外れ、メダル選別通路１１２ａとカバー１１３との間からメダル返却路１０９に落下し、メダル受け皿４４
（ト）図４には、メダル選別通路１１２ａの下部を覆うようにカバー１１３を設けている点、及び、メダル誘導路１０７の下流側上縁とカバー１１３の上縁が、同じぐらいの高さであることが示されている。
　上記（タ）〜（テ）の記載事項及び（ト）の認定事項より、甲第３号証には、次の事項が記載されていると認められる。
「メダル選別通路１１２ａの下部を覆うように設けられているカバー１１３、及び、メダル誘導路１０７の下流側上縁とカバー１１３の上縁が同じぐらいの高さであるスロットマシン１０。」
４　甲第４号証に記載された事項
　甲第４号証には、図面とともに以下の事項が記載されている。
（ナ）「【００２３】
［パチスロ機１の全体構成］
　先ず、図１及び図２を用いて、実施例に係る
パチスロ機１
（ニ）「【００３９】
　一方、
メダルセレクタ５５により不正メダルと判別されたメダルは、メダルセレクタ５５の下方に設けたキャンセルシュータ５６に排出され、このキャンセルシュータ５６を通じて、キャンセルシュート６０の内部に落下する
【００４０】
　
キャンセルシュート６０は、メダルセレクタ５５のキャンセルシュータ５６を通じて落下したメダルをメダル払い出し口２０から排出し返却する
（ヌ）「【００４７】
　図４に示す
メダルセレクタ５５は、
を通過する際に、メダルの真偽を判別し、
【００４８】
　一方、
不正メダルと判別したメダルは、メダルセレクタ５５に形成したメダル返却通路
通じて、キャンセルシュータ５６内に排出する。また、キャンセルシュータ５６内に排出されたメダルは、メダルセレクタ５５の下方に接続されているキャンセルシュート６０の内部に落下し、以下、このメダルは、メダル払い出し口２０を通じて、メダル受け部１９に排出する
（ネ）図２、図４には、メダルセレクタ５５の下方にキャンセルシュータ５６、キャンセルシュータ５６の下方にキャンセルシュートが位置することが、図７−１には、メダルセレクタ５５とキャンセルシュート６０は、連通していることが示されている。
　上記（ナ）〜（ヌ）の記載事項及び（ネ）の認定事項より、甲第４号証には、次の事項が記載されていると認められる。
「メダルセレクタ５５からキャンセルシュータ５６内に排出されたメダルは、メダルセレクタ５５の下方に接続されているキャンセルシュート６０の内部に落下するパチスロ機１。」
第５　当審の判断
１　対比
　本件特許発明と先願発明を対比する。以下、（ａ）〜（ｈ）は上記第２で本件特許発明に付したものに対応する。
（ａ）　先願発明の「メダルを投入してゲームを行う」ことは、本件特許発明の「メダルを用いて遊技を行う」ことに相当する。
　よって、先願発明の「メダルを投入してゲームを行うスロットマシン等の遊技機」は、本件特許発明の「メダルを用いて遊技を行う遊技機」に相当する。
（ｂ）　先願発明の「前面パネルに設けられる投入口２２」、「投入されたメダルが移動する傾斜通路６６」は、本件特許発明の「前記遊技機の前面に設けられる投入部」、「投入されたメダルが流下するメダル流下通路」に、それぞれ、相当する。
　そして、先願発明の「出口７０」、「除去部６７」は、それぞれ、本件特許発明の「第１流出部」、「第２流出部」に相当する。
　先願発明の「選別手段４１」は、「傾斜通路６６を経て出口７０へと移動する間に正、不正を判別して、不正メダルを傾斜通路６６の途中の開口状の除去部６７から受け入れ口５９へと落下させて除去し、正規のメダルのみを出口７０から案内シュート４２へと通過させる」ものであるから、メダルが「傾斜通路６６」を移動する間にその方向を「出口７０」または「除去部６７」に変更可能な「流路変更手段」を有するものであり、本件特許発明の「メダルセレクタ」に相当するといえる。
　よって、先願発明の「前面パネルに設けられる投入口２２から投入されたメダルが移動する傾斜通路６６を有し、傾斜通路６６を経て出口７０へと移動する間に正、不正を判別して、不正メダルを傾斜通路６６の途中の開口状の除去部６７から受け入れ口５９へと落下させて除去し、正規のメダルのみを出口７０から案内シュート４２へと通過させる選別手段４１」は、本件特許発明の「前記遊技機の前面に設けられる投入部から投入されたメダルが流下するメダル流下通路と、該メダル流下通路を流下するメダルを流出させる第１流出部及び第２流出部と、前記メダル流下通路の流下方向を前記第１流出部または前記第２流出部に変更可能な流路変更手段と、を有するメダルセレクタ」に相当する。
（ｃ）　上記（ｂ）より、先願発明の「出口７０」は、本件特許発明の「第１流出部」に相当する。
　また、先願発明の「メダルホッパー６」、「案内シュート４２」は、それぞれ、本件特許発明の「所定の回収部」、「回収誘導部」に相当する。
　よって、先願発明の「出口７０からのメダルをメダルホッパー６へと案内する案内シュート４２」は、本件特許発明の「前記第１流出部から流出したメダルを所定の回収部に誘導する回収誘導部」に相当する。
（ｅ）上記（ｂ）より、先願発明の「除去部６７」は、本件特許発明の「第２流出部」に相当する。
　また、先願発明の「前面パネルに設けられた排出口３０」、「返却通路４３」は、それぞれ、本件特許発明の「前記遊技機の前面に設けられた返却部」、「返却誘導部」に相当する。
　よって、先願発明の「除去部６７から落下されたメダルを前面パネルに設けられた排出口３０へと排出する返却通路４３」は、本件特許発明の「前記第２流出部から流出したメダルを前記遊技機の前面に設けられた返却部に誘導する返却誘導部」に相当する。
（ｆ）上記（ｃ）より、先願発明の「案内シュート４２」、「出口」、「メダルホッパー６」は、それぞれ、本件特許発明の「回収誘導部」、「第１流出部」、「回収部」に相当する。
　先願発明の「案内シュート４２」は「樋状」であるから、底部があることは明らかであり、「出口からメダルホッパー６へと、上流端と下流端との間で傾斜して」いることから、該底部は「前記第１流出部から前記回収部に向けて下方に傾斜するように延設され」ているといえる。
　よって、先願発明の「樋状であって、出口からメダルホッパー６へと、上流端と下流端との間で傾斜して」いる「案内シュート４２」は、本件特許発明の「回収誘導部」と同様に、「前記第１流出部から前記回収部に向けて下方に傾斜するように延設された流下路面」を備えているといえる。
（ｇ）上記（ｆ）より、先願発明の「案内シュート４２は、樋状」であるから、「メダルを円滑に案内する内周壁７７と外周壁７８」は、「前記流下路面におけるメダルの流下方向の両側に」「一対」「立設され」ているといえる。
　よって、先願発明の、案内シュート４２は、「メダルを円滑に案内する内周壁７７と外周壁７８を有」することは、本件特許発明の、回収誘導部は、「前記流下路面におけるメダルの流下方向の両側に立設される一対のガイド壁面」を備えることに相当する。
（ｈ）上記（ｇ）での検討を踏まえると、先願発明の「内周壁７７と外周壁７８との上端間」は、「樋状」の「案内シュート４２」の上方位置であることは明らかであるから、本件特許発明の「前記流下路面の上方位置」に相当する。
　そして、先願発明の「メダルの不正回収を防止するための阻止手段４４を構成する」ことは、本件特許発明の「該流下路面を流下するメダルの上方への取り出しを規制する」ことといえるから、先願発明の「覆い部８３」は、本件特許発明の「規制部」に相当する。
　よって、先願発明の「内周壁７７と外周壁７８との上端間を連結し、メダルの不正回収を防止するための阻止手段４４を構成する覆い部８３」は、本件特許発明の「前記流下路面の上方位置に配設され、該流下路面を流下するメダルの上方への取り出しを規制する規制部」に相当する。
　上記（ａ）〜（ｈ）の対比により、本件特許発明と先願発明とは、
「Ａ　メダルを用いて遊技を行う遊技機であって、
Ｂ　前記遊技機の前面に設けられる投入部から投入されたメダルが流下するメダル流下通路と、該メダル流下通路を流下するメダルを流出させる第１流出部及び第２流出部と、前記メダル流下通路の流下方向を前記第１流出部または前記第２流出部に変更可能な流路変更手段と、を有するメダルセレクタと、
Ｃ　前記第１流出部から流出したメダルを所定の回収部に誘導する回収誘導部と、
Ｅ　前記第２流出部から流出したメダルを前記遊技機の前面に設けられた返却部に誘導する返却誘導部と、
　を備え、
Ｆ　前記回収誘導部は、
　前記第１流出部から前記回収部に向けて下方に傾斜するように延設された流下路面と、
Ｇ　前記流下路面におけるメダルの流下方向の両側に立設される一対のガイド壁面と、
Ｈ　前記流下路面の上方位置に配設され、該流下路面を流下するメダルの上方への取り出し
を規制する規制部と、
　を備える遊技機。
である点で一致し、以下の点で相違する。
［相違点１］
　本件特許発明が、前記第２流出部の少なくとも一部を覆うカバー部を備えているのに対し、先願発明は、そのような構成が特定されていない点（構成Ｄ）。
［相違点２］
　本件特許発明が、前記規制部におけるメダルの流下方向の下流側端部と前記流下路面におけるメダルの流下方向の下流側端部とは、前記カバー部の上方端部よりも下方に位置するのに対し、先願発明では、カバー部が備えられていないため、覆い部８３の下流側端部と樋状の案内シュート４２の底部の下流側端部と位置関係を比較する対象がない点（構成Ｉ）。
２　判断
　事案の性質に鑑み、相違点２から検討する。
　甲第２号証には、「メダル返却通路１３２」の上縁が「投入メダルセレクタ１３１の下縁及びメダル流下通路１３３の下縁より」上方に位置することが記載されているから、本件特許発明の「カバー部」に相当する構成が記載されているといえる。
　また、甲第２号証には、「メダルシュート１６０の下流側端部の上縁及び下縁がメダル返却通路１３２の上縁より下方に位置する」ことが記載されているから、本件特許発明における「回収誘導部」が「メダルの流下方向の下流側端部と前記流下路面におけるメダルの流下方向の下流側端部とは、前記カバー部の上方端部よりも下方に位置する」ことは記載されているが、本件特許発明の「規制部」に相当する構成が記載されていないので、相違点２に係る本件特許発明の構成である「
前記規制部におけるメダルの流下方向の下流側端部
は、前記カバー部の上方端部よりも下方に位置する
　甲第３号証には、「メダル選別通路１１２ａの下部を覆うように設けられているカバー１１３」が記載されているから、本件特許発明の「カバー部」に相当する構成が記載されているといえる。
　しかしながら、甲第３号証は、「メダル誘導路１０７の下流側上縁とカバー１１３の上縁が同じぐらいの高さである」ことは記載されているが、本件特許発明における「回収誘導部」が「メダルの流下方向の下流側端部と前記流下路面におけるメダルの流下方向の下流側端部とは、前記カバー部の上方端部よりも下方に位置」しているとはいえず、また、本件特許発明の「規制部」に相当する構成は記載されていないので、相違点２に係る本件特許発明の構成である「
前記規制部におけるメダルの流下方向の下流側端部と
は、前記カバー部の上方端部よりも下方に位置する
　甲第４号証には、「メダルセレクタ５５からキャンセルシュータ５６内に排出されたメダルは、メダルセレクタ５５の下方に接続されているキャンセルシュート６０の内部に落下する」ことが記載されているが、本件特許発明の「回収誘導部」に関する構成が、その具体的な構成が把握できるように記載されておらず、相違点２に係る本件特許発明の構成である「
前記規制部におけるメダルの流下方向の下流側端部と前記流下路面におけるメダルの流下方向の下流側端部とは、前記カバー部の上方端部よりも下方に位置する
　したがって、甲第２〜４号証には、相違点２に係る本件特許発明の構成が記載も示唆もされていないので、当該相違点２に係る本件特許発明の構成が、周知技術であるとはいえない。
　特許異議申立人は、相違点２に係る本件特許発明の構成は、甲第２〜４号証に示される周知技術の付加にすぎないと主張する。しかしながら、上記のとおり、甲第２〜４号証には、相違点２に係る本件特許発明の構成は記載されていない。
　また、本件特許発明は、回収誘導部の流下路面の上方位置に規制部が配置され、規制部におけるメダルの流下方向の下流側端部がカバー部の上方端部よりも下方に位置するという、上記相違点２に係る本件特許発明の構成を備えることで、流下路面を流下するメダルを上方へリフトして取り出すことが困難となるとともに、規制部を回避して取り出そうとした場合には、取り出したメダルの返却誘導部までの移送距離が長くなるため、第１流出部から流出したメダルを回収部に貯留させることなくメダル払出口から返却させて使い回すといった不正行為を抑制することができる（本件特許発明の明細書の段落【０３１４】〜【０３１６】等参照のこと。）という効果を奏するものである。
　以上より、上記相違点２に係る本件特許発明の構成は、返却通路から受け入れ口を経て案内シュート側に不正部材を挿入して、その不正部材により選別手段を通過した正規のメダルを返却通路へと不正に回収する不正回収を防止できる遊技機を提供することを課題とする先願発明において、課題解決のための具体化手段における微差（周知技術、慣用技術の付加、削除、転換等であって、新たな効果を奏するものではないこと）であるとはいえない。
　よって、相違点１について検討するまでもなく、本件特許発明は、先願発明と実質的に同一ではない。
３　まとめ
　上記２において検討したとおり、本件特許発明は、先願発明と実質的に同一であるとはいえない。
　よって、本件特許発明は、先願明細書等に記載された発明と同一ではなく、特許法第２９条の２の規定に該当しない。
第６　むすび
　以上のことから、特許異議申立ての理由及び証拠方法によっては、本件特許発明に係る特許を取り消すことはできない。
　また、他に本件特許発明に係る特許を取り消すべき理由を発見しない。
　よって、結論のとおり決定する。
【異議決定日】
平成３０年１月９日（２０１８．１．９）